(57)【要約】  【課題】断熱性を向上させ、寒さを緩和することを可能とした履物および履物の中敷を提供する。  【解決手段】履物１４は、底部および甲部および後面部および側面部に真空断熱材２０、２２，２４を適用しているので、真空断熱材２０，２２，２４の優れた断熱性能により、人体の発する体熱の保温や外気の遮断が効果的に行われ、スキーやスノーボード等の冬季スポーツや寒冷地における使用においても足部を快適に保つことができる。また、真空断熱材２０をカバー部材であるゴム性部材２１で両面または片面を一体に覆っているので、歩行による衝撃を吸収でき、真空断熱材２０にかかる負荷を軽減できる。これによって、真空断熱材２０の外被材が破れ難くなり、減圧状態を保つことができるので、断熱性能の低下を抑えることができる。【選択図】図２
2006247385.tif 000002
【特許請求の範囲】
【請求項１】
少なくとも１つ以上の芯材を外被材で覆い、内部を減圧して密封した真空断熱材を、少なくとも底部に適用した履物であり、底部に配置した前記真空断熱材の少なくとも片面をカバー部材で覆ったことを特徴とする履物。
【請求項２】
真空断熱材をカバー部材に固定したことを特徴とする請求項１に記載の履物。
【請求項３】
真空断熱材の表面に凹凸をつけてカバー部材に固定したことを特徴とする請求項１に記載の履物。
【請求項４】
つま先に配置した真空断熱材の芯材の厚みを踵の芯材より厚くしたことを特徴とする請求項１から３のいずれか一項に記載の履物。
【請求項５】
底部において、つま先にのみ真空断熱材を配置したことを特徴とする請求項１から３のいずれか一項に記載の履物。
【請求項６】
カバー部材がゴムを含む部材からなる請求項１から請求項５のいずれか一項に記載の履物。
【請求項７】
カバー部材が軟質系発泡系部材からなる請求項１から請求項５のいずれか一項に記載の履物。
【請求項８】
カバー部材の表面に表面改善素材を有する請求項１から請求項７のいずれか一項に記載の履物。
【請求項９】
請求項１から請求項８のいずれか一項に記載の、カバー部材で覆った真空断熱材からなることを特徴とする履物の中敷。
【請求項１０】
芯材と、内側より熱溶着層，ガスバリア層，保護層を有するラミネートフィルムと前記ラミネートフィルムの表面に積層固定された少なくとも表面層に表面改善素材を有するカバー部材とを備えた外被材とを有し、前記芯材を前記外被材で覆って内部を減圧することにより得られる真空断熱材。
【請求項１１】
芯材を内側より熱溶着層，ガスバリア層，保護層を有するラミネートフィルムよりなる外被材で覆って内部を減圧することにより得られる真空断熱材と、前記真空断熱材の前記ラミネートフィルムの表面に積層固定された少なくとも表面層に表面改善素材を有するカバー部材とで一体化した真空断熱材組品。
【発明の詳細な説明】
【技術分野】
【０００１】
本発明は、履物および履物の中敷の断熱性および保温性の向上に関するものである。
【背景技術】
【０００２】
従来、保温性を高めた履物の断熱材は合成スポンジ等で構成されて断熱性を保っているものがある（例えば、特許文献１参照）。
【０００３】
図８は、従来の超低温冷蔵庫用長履物の断面図である。図８において、履物の本体１は、フェルト２と、前記フェルトの外側に設けられ繊維製の織布にゴムを合わせた外甲３と、フェルト等の中底４と、ゴム製の履物底５とが接着等によって取り付けられている。
【０００４】
外側に引き出すことができる内装体６は、合成スポンジ等による断熱材７と、中敷８とから構成されている。この構成により、十分な保温力が得られ、内装体６は引き出して乾燥できるというものである。
【０００５】
また、足を暖める履物の中敷として、遠赤外線の放射体とハニカム材を積層したものがある（例えば、特許文献２参照）。
【０００６】
図９は、従来の履物の中敷の断面図である。図９において、履物の中敷９は履物底形状に形成され、遠赤外線を放射する炭素繊維布１０を中心とし、その上側に化学繊維から成る保護材１１、履物底側にハニカム材を断熱材１２として積層し、炭素繊維布１０と断熱材１２との間に反射シート１３を配設した積層構造となっている。これにより、履物内の暖房効果を達成するというものである。
【０００７】
また、高断熱性能な断熱材として真空断熱材というものがある。真空断熱材とは、外被材で芯材を覆い真空密封したものであり、芯材内部を真空状態にすることにより、気体による熱伝導率を下げ、低熱伝導率を実現したものである。
【特許文献１】特開平７−１００００３号公報
【特許文献２】登録実用新案第３０２４３２５号公報
【発明の開示】
【発明が解決しようとする課題】
【０００８】
しかしながら、上記従来の構成では、履物や履物の中敷における断熱材として合成スポンジやハニカム材を用いていたが、合成スポンジの熱伝導率は一般に０．０３Ｗ／ｍ・Ｋ〜０．０５Ｗ／ｍ・Ｋ、ハニカム材の熱伝導率は０．１Ｗ／ｍ・Ｋ程度であり、スキーやスノーボード等の冬季スポーツや寒冷地における使用においては断熱性能が低く、人体の発する体熱の保温や、外気による寒さを防ぐことが不充分であった。
【０００９】
履物の中敷としては、常に暖房効果まで必要とは限らず、気候によっては暑過ぎることがあった。また、積層により厚みが大きく、窮屈感が免れなかった。
【００１０】
また、断熱材として真空断熱材を用いると、高断熱であり保温効果は高い。しかし、衝撃等により外被材が破れ、真空度が低下することにより熱伝導率が悪化し、高断熱を維持できない問題があった。
【００１１】
本発明は、断熱性をさらに向上させ、体温をできるだけ保温することで寒さをより緩和することを可能とする履物および履物の中敷を提供することを目的とする。また、信頼性を向上し、断熱性の低下を抑えた履物および履物の中敷を提供することを目的とする。
【課題を解決するための手段】
【００１２】
上記目的を達成するために、本発明の履物および履物の中敷は、断熱材として真空断熱材を適用し、真空断熱材の少なくとも片面をカバー部材で覆ったものである。
【００１３】
真空断熱材の優れた断熱性能（熱伝導率：０．００２Ｗ／ｍ・Ｋ〜０．００６Ｗ／ｍ・Ｋ）により、履物および履物の中敷は、薄い断熱材で保温効果を格段に向上させる作用を有する。
【００１４】
また、履物の形状に適合するために、真空断熱材は複数の芯材で形成したり、複数を組み合わせたりして適用し、特に芯材の周縁の外被材部分を少なくして形状の自由度を向上し、有効断熱面積を拡大した。
【発明の効果】
【００１５】
本発明の履物および履物の中敷は、断熱性が格段に向上し、体熱の保温や冷気の遮断が効果的に行われ、冬季スポーツや寒冷地における使用においても足部を快適に保つことができる。また、薄い断熱材とすることで、履物としてのデザインの余裕度が向上したり、履物全体を小型化して可搬性を向上したりでき、更に中敷としては厚みによる窮屈感を防ぐことができる。また、真空断熱材が衝撃に強くなるので、外被材が破れることを低減でき、減圧状態を維持できるので、長期間にわたり低熱伝導率を維持することができる。
【発明を実施するための最良の形態】
【００１６】
請求項１に記載の発明は、少なくとも１つ以上の芯材を外被材で覆い、内部を減圧して密封した真空断熱材を、少なくとも底部に適用した履物であり、底部に配置した前記真空断熱材の少なくとも片面をカバー部材で覆ったことを特徴とする履物である。
【００１７】
真空断熱材は優れた断熱性能を有するので、人体の発する体熱の保温や外気の遮断が効果的に行われ、スキーやスノーボード等の冬季スポーツや寒冷地における使用においても足部を快適に保つことができるとともに、履物の外形寸法を小さくして、行動性を良くし、また、運搬時のスペース効率を向上して可搬性を良くすることができる。
【００１８】
また、真空断熱材をカバー部材で覆うことにより、歩行による衝撃を緩和でき、真空断熱材にかかる負荷を軽減できる。これによって、真空断熱材の外被材が破れ難くなり、減圧状態を保つことができるので、断熱性能の低下を抑えることができる。
【００１９】
請求項２に記載の発明は、請求項１に記載の発明において、真空断熱材をカバー部材に固定したことを特徴とする履物である。
【００２０】
真空断熱材がカバー部材に固定されており、歩行による真空断熱材の位置ズレを抑えることができるので、断熱効果を適切な位置で得ることができる。
【００２１】
請求項３に記載の発明は、請求項１に記載の発明において、真空断熱材の表面に凹凸をつけてカバー部材に固定したことを特徴とする履物である。
【００２２】
真空断熱材がカバー部材に固定されており、歩行による真空断熱材の位置ズレを抑えることができるので、断熱効果を適切な位置で得ることができる。また、凹凸により固定しているだけなので、真空断熱材をカバー部材から取り外すことができ、真空断熱材が劣化しても交換することができる。また、必要な断熱性能に応じて履物から取り外すこともできる。
【００２３】
請求項４に記載の発明は、請求項１から請求項３のいずれか一項に記載の発明において、つま先に配置した真空断熱材の芯材の厚みを踵の芯材より厚くしたことを特徴とする履物である。
【００２４】
つま先は寒さを感じ易く、踵の芯材と比べ断熱性能を必要とする個所である。そのため、つま先の真空断熱材を厚くできるので、より足部を快適に保つことができる。
【００２５】
請求項５に記載の発明は、請求項１から請求項３のいずれか一項に記載の発明において、底部のつま先にのみ真空断熱材を配置したことを特徴とする履物である。
【００２６】
底部において、加重のかかり易い踵等に真空断熱材を配置しないことにより、真空断熱材の外被材が破れ難くなり、減圧状態を保つことができるので、断熱性能の低下を抑えることができる。また、足でも特に寒く感じる個所はつま先であり、つま先にのみ真空断熱材を配置することで、足部を快適に保つことができる。
【００２７】
請求項６に記載の発明は、請求項１から請求項５のいずれか一項に記載の発明において、カバー部材がゴムを含む部材からなることを特徴とする履物である。
【００２８】
真空断熱材をゴムを含む部材で覆っているので、歩行による衝撃を吸収でき、真空断熱材にかかる負荷を軽減できる。これによって、真空断熱材の外被材が破れ難くなり、減圧状態を保つことができるので、断熱性能の低下を抑えることができる。また、石などの角が鋭利なものが履物の中に入り衝撃が加わっても、ゴムを含む部材だと貫通することなく衝撃を吸収できるので、外被材が破れ難くなる。
【００２９】
請求項７に記載の発明は、請求項１から請求項５のいずれか一項に記載の発明において、カバー部材が軟質系発泡系部材からなることを特徴とする履物である。
【００３０】
真空断熱材を軟質系発泡系部材で覆っているので、歩行による衝撃を吸収でき、真空断熱材にかかる負荷を軽減できる。これによって、真空断熱材の外被材が破れ難くなり、減圧状態を保つことができるので、断熱性能の低下を抑えることができる。また、軟質系発泡部材は吸水性がよく、汗を吸収できるので、快適に使用することができる。
【００３１】
請求項８に記載の発明は、請求項１から請求項７のいずれか一項に記載の発明において、カバー部材の表面に表面改善素材を有するものである。これによって、表面状態を改善して履き心地や滑り止め性を高め、より快適な使用環境を提供することができる。
【００３２】
請求項９に記載の発明は、請求項１から請求項８のいずれか一項に記載の発明のカバー部材で覆った真空断熱材からなることを特徴とする履物の中敷である。
【００３３】
真空断熱材は優れた断熱性能を有するので、履物の中敷の断熱効果を飛躍的に高めることができるとともに、脱着により気候に応じた保温効果を有する履物を快適な使用状態で使用することができる。
【００３４】
請求項１０に記載の発明は、芯材と、内側より熱溶着層，ガスバリア層，保護層を有するラミネートフィルムと前記ラミネートフィルムの表面に積層固定された少なくとも表面層に表面改善素材を有するカバー部材とを備えた外被材とを有し、前記芯材を前記外被材で覆って内部を減圧することにより得られる真空断熱材である。
【００３５】
これにより、靴等の履物に適用することによって歩行における衝撃吸収性や滑り止め、快適性などの機能を付加した新たな機能性外被材を有する真空断熱材として取り扱えることになり、利用価値の高い断熱デバイスとなる。
【００３６】
請求項１１に記載の発明は、芯材を内側より熱溶着層，ガスバリア層，保護層を有するラミネートフィルムよりなる外被材で覆って内部を減圧することにより得られる真空断熱材と、前記真空断熱材の前記ラミネートフィルムの表面に積層固定された少なくとも表面層に表面改善素材を有するカバー部材とで一体化した真空断熱材組品である。
【００３７】
これによって、単品の真空断熱材を導入し、新たな機能性を有するカバー部材を積層して組み付けるものであっても完成品としては請求項１０に記載の真空断熱材とほぼ同様の機能価値を有するものが得られる。
【００３８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３９】
（実施の形態１）
図１は本発明の実施の形態１における履物の側面図、図２は本発明の実施の形態１における履物の断面図である。図３から図５は本発明の実施の形態１における履物に適用した真空断熱材の外観図である。
【００４０】
図１と図２において、履物としての代表例である靴１４は、足を包む部分の底部１５と甲部１６と前面部１７と後面部１８と側面部１９に履物底５を接着して構成されている。底部１５は、底部１５の形状に合わせてほぼ全面を覆う真空断熱材２０を配設し、その両面をカバー部材としてのゴム性部材２１で覆ったものである。
【００４１】
甲部１６は、外側から外甲３、つま先までを覆うように成形した真空断熱材２２、フェルト２を配設して積層したもので、上側に連続した前面部１７は、外甲３とフェルト２は甲部１６からそのまま連続して、中層の断熱材２３は合成スポンジに替えてより柔軟性を有するものとしている。
【００４２】
後面部１８から側面部１９にかけては、全体を覆うように形成した真空断熱材２４を中層に配設し、真空断熱材２２と真空断熱材２４の隙間は合成スポンジの断熱材２３を配設して積層した構成としている。
【００４３】
図３から図５において、真空断熱材２０，２２，２４はガスバリア性を有する外被材２５の内部にそれぞれ芯材２６ａ，２６ｂ，２６ｃを配置させ、内部を減圧して密封したものである。
【００４４】
一般に真空断熱材は内部の真空度を１Ｐａ〜１００Ｐａとすることで優れた断熱性能を発現することが可能となる。外被材２５は複数のフィルムが積層されたラミネートフィルムであり、外側には保護層、中間はガスバリア層としてアルミ箔等を用い、内側は熱溶着層としている。いずれの芯材もシリカ粉末を主成分とする粉末を厚さ１．５ｍｍに圧縮成形したものを用いたが、グラスウールを主成分とする繊維系芯材としてもよい。
【００４５】
なお、ガスバリア層は、アルミ箔のほかにアルミ蒸着などの金属蒸着フィルムを用いることもできるが、ガスバリア性を重視する場合は両面にアルミ箔を用いることにより靴１４の曝される環境として蒸れによる対水分透過性向上が図れるので高湿状態の条件となる履物用途としては有効な選択である。一方、柔軟性を重視して対破れ性の向上を図る場合は両面に金属蒸着フィルムを用いる選択もある。さらには、片面ずつアルミ箔と金属蒸着フィルムを用いて折衷効果を求める選択肢もあり得る。
【００４６】
真空断熱材２０，２２，２４の作製において、外被材２５の熱溶着は減圧空間で柔軟性のあるヒーターを、芯材２６を含めて全面に押し付けて加熱加圧し、芯材２６の周囲および複数の芯材と芯材の間の外被材２５を残さず熱溶着した。その後、芯材２６の周縁に沿って熱溶着部２７を４ｍｍ残して切断して履物の各部に配設するための形状とした。
【００４７】
このように芯材２６の周囲をすべて熱溶着することにより、熱溶着部２７の幅を狭くして有効断熱面積を拡大することができる。また、切欠きや切込み等も形成でき、任意の形状に作製できる。
【００４８】
なお、芯材２６の周囲の外被材２５をすべて熱溶着するには、外被材２５のしわの発生等を抑制する必要があり、そのためには芯材２６の厚みは５ｍｍ以下が望ましい。
【００４９】
こうして、真空断熱材２０，２２，２４はそれぞれ履物の部位に応じた適切な形状とすることで、真空断熱材を適用することができる。また、真空断熱材２０，２２，２４を複数の芯材２６から構成することにより、曲げたり丸めたりすることが容易となって立体構造の真空断熱材を形成することが可能となり、履物への適用が容易となる。
【００５０】
以上のような構成により、本実施の形態１における履物１４は、真空断熱材２０，２２，２４の優れた断熱作用により、人体の発する体熱の保温や外気の遮断が効果的に行われ、寒冷な環境下において足部を快適に保つことができる。
【００５１】
また、真空断熱材２０をゴム性部材２１で覆っているので、歩行による衝撃を吸収でき、真空断熱材２０にかかる負荷を軽減できる。これによって、真空断熱材２０の外被材２５が破れ難くなり、減圧状態を保つことができるので、断熱性能の低下を抑えることができる。また、石などの角が鋭利なものが靴１４の中に入り衝撃が加わっても、ゴム性部材２１だと貫通することなく衝撃を吸収できるので、外被材２５が破れ難くなる。
【００５２】
また、本実施の形態では、カバー部材２１としてゴム性部材を用いているが、軟質系発泡部材を用いても良い。軟質系発泡部材を用いた場合、歩行による衝撃を吸収できるので、真空断熱材にかかる負荷を軽減できる。また、吸水性がよく、汗を吸収できるので、快適に使用することができる。また、軟質系発泡部材は断熱性が高く、寒冷な環境下において足部をさらに快適に保つことができる。
【００５３】
また、カバー部材としてたとえばフェルトなどの、表面状態を改善して履き心地や滑り止め性を高める表面改善素材を用いることも有効であり、より快適な使用環境を提供することができる。
【００５４】
なお、上述の例に挙げたゴム性部材２１，軟質系発泡部材，フェルトなどの表面改善素材等よりなるカバー部材２１は、上記それぞれの素材が単独で用いられてもよいし、ゴム性部材２１の表面に軟質系発泡部材またはフェルトなどの表面改善素材を重ねて複層化したものであってもよい。
【００５５】
また、これらのカバー部材２１は必ずしも真空断熱材２０の両面に設けられなくともよく、たとえば靴１４の底面側にはその必要性が低ければ靴１４の内面側となる片面のみに設けられるものであってもよい。
【００５６】
ここで、真空断熱材２０はゴム性部材などのカバー部材２１に両面或いは片面を覆われ一体化されるが、靴１４の底部への装着については、一体化されたものを靴１４の底面に接着等で固定して防寒靴としてもよく、固定はせずこの一体化したものを中敷として通常の靴に防寒機能を付加してもよい。中敷とする場合は、防寒靴に使用した場合の取り替え用として用いることもできる。
【００５７】
このようにカバー部材２１が両面または片面に一体化された真空断熱材２０は、前述のたとえば保護層，ガスバリア層，熱溶着層等よりなるラミネートフィルムの表面層に、さらにカバー部材２１を接着等で積層固定した新たな外被材を用いた真空断熱材としてひとつの断熱デバイス化したものであり、この点において、従来、断熱デバイスとしての要求機能として歩行による衝撃吸収や滑り止め、履き心地の改善を図る機能を備えた素材を外被材として求められることは通常はなく、靴１４を典型的な例とする履物を用途として、上述のようなゴム性部材，軟質系発泡部材，フェルトなどの表面改善素材等よりなるカバー部材２１を一体化して歩行における衝撃吸収性や滑り止め、快適性などの機能を付加した新たな機能性外被材を有する真空断熱材として取り扱えることになり、利用価値の高い断熱デバイスとなる。
【００５８】
なお、以上は、断熱デバイスとして新たな機能性外被材を有する真空断熱材とするものであるが、単品の真空断熱材２０を導入し、新たなこれら機能性のカバー部材２１を積層して組み付けて、いわゆる真空断熱材組品として構成したものであっても完成品としてはほぼ同様の機能価値を有するものが得られる。
【００５９】
一方、上述のように、真空断熱材２０とカバー部材２１は予め一体化されることが構成上も取り扱い上も望ましいが、製造上の技術的な理由やコスト的な要因で、敢えて一体化せず真空断熱材２０とカバー部材２１を個々に靴１４の底面に積層していく組み付け方を採用することも選択肢としてはあり得る。
【００６０】
また、本実施の形態では、底部において全面に真空断熱材２０が配置されているが、つま先にのみ配置してもよい。加重のかかる踵に真空断熱材２０を配置しないことにより、真空断熱材２０の外被材２５が破れ難くなり、減圧状態を保つことができるので、断熱性能の低下を抑えることができる。また、足でも特に寒く感じる個所はつま先であり、つま先にのみ真空断熱材２０を配置することで、足部を快適に保つことができる。
【００６１】
（実施の形態２）
図６は本発明の実施の形態２における履物の中敷の断面図である。
【００６２】
図６において、履物の中敷２８は真空断熱材２９の両面にゴム性部材３０を積層して構成されており、真空断熱材２９の表面が凹凸になってゴム性部材３０と接続されている。真空断熱材２９の凹の厚みは、凸の厚みの３０％以上７０％以下である。３０％以下の厚みだと真空断熱材２９の強度が不足し、７０％以上だとゴム性部材３０と接続する力が弱い。なお、真空断熱材２９の取り外しを考えない場合、真空断熱材２９とゴム性部材３０を接着剤などで接続してしまってもよい。
【００６３】
以上のような構成により、真空断熱材２９がゴム性部材３０に固定されており、歩行による真空断熱材２９の位置ズレを抑えることができるので、断熱効果を適切な位置で得ることができる。
【００６４】
また、凹凸により固定しているだけなので、真空断熱材２９をゴム性部材３０から取り外すことができ、真空断熱材２９が劣化しても交換することができる。また、必要な断熱性能に応じて履物から取り外すこともできる。
【００６５】
（実施の形態３）
図７は本発明の実施の形態３における履物の中敷の断面図である。
【００６６】
図７において、履物の中敷３１は真空断熱材３２のつま先に配置した芯材の厚みが踵の芯材の芯材よりも厚いものである。
【００６７】
以上のような構成により、足でも特に寒いと感じるつま先の断熱性が向上し、より足部を快適に保つことができる。また、つま先より柔軟性が必要な踵のゴム性部材を厚くすることにより、真空断熱材３２にかかる負荷を軽減できる。これによって、真空断熱材３２の外被材２５が破れ難くなり、減圧状態を保つことができるので、断熱性能の低下を抑えることができる。
【産業上の利用可能性】
【００６８】
以上のように、本発明にかかる履物および履物の中敷は、優れた断熱性能を有する真空断熱材の適用により体熱の保温や冷気の遮断が効果的に行われるとともに、真空断熱材は薄く形成しても断熱効果が高いので、本発明の実施の形態に示した履物に限らず、スリッパなど通常断熱性を有しない履物にも適用することもでき、これにより防寒性を確保し、快適性を向上することができる。
【図面の簡単な説明】
【００６９】
【図１】本発明の実施の形態１における履物の側面図
【図２】本発明の実施の形態１における履物の断面図
【図３】本発明の実施の形態１における履物に適用した真空断熱材の外観図
【図４】本発明の実施の形態１における履物に適用した真空断熱材の外観図
【図５】本発明の実施の形態１における履物に適用した真空断熱材の外観図
【図６】本発明の実施の形態２における履物の中敷の断面図
【図７】本発明の実施の形態３における履物の中敷の断面図
【図８】従来の超低温冷蔵庫用長履物の断面図
【図９】従来の履物の中敷の断面図
【符号の説明】
【００７０】
３    外殻
１４  靴（履物）
１５  底部
１６  甲部
１７  前面部
１８  後面部
１９  側面部
２０，２２，２４，２９，３２  真空断熱材
２１，３０  ゴム性部材（カバー部材）
２５  外被材
２６，２６ａ，２６ｂ，２６ｃ  芯材
２８，３１  中敷
【図１】
2006247385.tif 000003
【図２】
2006247385.tif 000004
【図３】
2006247385.tif 000005
【図４】
2006247385.tif 000006
【図５】
2006247385.tif 000007
【図６】
2006247385.tif 000008
【図７】
2006247385.tif 000009
【図８】
2006247385.tif 000010
【図９】
2006247385.tif 000011